(57)【要約】  本発明は、既存のエスカレータ（１）または既存の動く歩道（１）を最新化する方法に関する。前記方法は、  既存のエスカレータ（１）または既存の動く歩道（１）の既存の骨組み（６）から、全ての電気および機械部品を取り除く工程であって、既存の骨組み（６）が、２つの骨組み側部（３１，３２）、および前記骨組み側部を接続するベース構造（３７）を有し、骨組み側部（３１，３２）が、ベース構造（３７）から距離を隔てて配置された横材によって互いに接続されている工程と、  既存の骨組み（６）の既存の横材（３９）を新しい横材（４０，９０）に交換する工程であって、横材（３９，４０，９０）の交換中に、既存の骨組み（６）の２つの骨組み側部（３１，３２）が、骨組み（６）のベース構造（３７）から距離を隔てた少なくとも一箇所で、相互に安定化するように互いに接続されている工程と  を少なくとも含む。
2019522604.tif 000002
【特許請求の範囲】
【請求項１】
既存のエスカレータ（１）または既存の動く歩道（１）を最新化する方法であって、既存のエスカレータ（１）または既存の動く歩道（１）の既存の骨組み（６）から、全ての電気および機械部品を取り除く工程にして、既存の骨組み（６）が、２つの骨組み側部（３１，３２）、および前記骨組み側部を接続するベース構造（３７）を有し、骨組み側部（３１，３２）が、ベース構造（３７）から距離を隔てて配置された横材によって互いに接続されている、工程を含む方法であって、既存の骨組み（６）の全ての既存の横材（３９）を取り除き、取り除かれた既存の横材（３９）の少なくとも一部を新しい横材（４０，９０）に交換するさらなる工程であって、横材の交換中に、既存の骨組み（６）の２つの骨組み側部（３１，３２）が、骨組み（６）のベース構造（３７）から距離を隔てた少なくとも一箇所で、相互に安定化するように互いに接続されている、工程を特徴とする、方法。
【請求項２】
横材が、２つの骨組み側部（３１，３２）を安定化させるために順次交換され、それにより、作業が進行するにつれて、骨組み側部（３１，３２）が、順次交換のため、漸減的に既存の横材（３９）によって、また漸増的に新しい横材（４０，９０）によって、ベース構造（３７）から距離を隔てて、相互に安定化するように互いに接続されている、請求項１に記載の方法。
【請求項３】
２つの骨組み側部（３１，３２）を安定化させるための既存の横材（３９）が取り除かれる前に、少なくとも１つの安定化装置（９９）が既存の骨組み（６）に固定され、この装置が、骨組み側部（３１，３２）を、既存の骨組み（６）のベース構造（３７）から距離を隔てた一箇所で、相互に安定化するように接続し、少なくとも１つの安定化装置（９９）が固定された後、既存の横材（３９）が取り除かれ、新しい横材（４０，９０）が挿入され、新しい横材（４０，９０）が挿入された後、少なくとも１つの安定化装置（９９）が取り外される、請求項１に記載の方法。
【請求項４】
取外し可能に骨組み側部（３１，３２）に配置されることができる安定化部材が、安定化装置（９９）として固定されている、請求項３に記載の方法。
【請求項５】
既存の骨組み（６）における新しい横材（４０，９０）の位置が、新たに挿入される最新化構成要素に必要な設置空間から、また骨組み側部（３１，３２）の高さ（Ｈ）に関係して決定される、請求項１から４のいずれか１項に記載の方法。
【請求項６】
位置が、新しい横材（４０，９０）を位置決めするための指示として、骨組み側部（３１，３２）の上弦材（３３）から骨組み側部（３１，３２）の下方下弦材（３４）に向かう距離（Ｙ）として確定される、請求項５に記載の方法。
【請求項７】
既存の横材（３９）が、骨組み側部（３１，３２）の骨組みウェブ（３５）の第１の側面（４３）に溶接されており、各場合に、まず骨組みウェブ（３５）の既存の横材（３９）が取り除かれ、次いで新しい横材（４０，９０）が、骨組みウェブ（３５）の第２の側面（４４）に固定される、請求項１から６のいずれか１項に記載の方法。
【請求項８】
レール接触面（５６）を有する第１の転向モジュール（５１）が、新しい横材（４０，９０）が設けられた骨組み（６）に、骨組み（６）の第１の端部で設置されており、レール接触面（５８）を有する第２の転向モジュール（５２）が、骨組みに、骨組み（６）の第２の端部で設置されている、請求項１から７のいずれか１項に記載の方法。
【請求項９】
ターゲット装置（７１）が、第１の転向モジュール（５１）のレール接触面（５６）に配置されており、位置合わせ装置（７０）が、第２の転向モジュール（５２）のレール接触面（５８）に配置されており、位置合わせ装置（７０）の位置合わせ手段（７３）が、ターゲット装置（７１）に合わせて調整され、転向モジュール（５１，５２）の間で骨組み（６）に挿入されるさらなる構成要素（５３）が、位置合わせ手段（７３）に位置合わせされることができる、請求項８に記載の方法。
【請求項１０】
フレーム組立装置（７７）が利用可能であり、このフレーム組立装置（７７）にはまず、設けられたレセプタクル（７５）に、右側フレーム（５３）および左側フレーム（５３）が設けられ、次いで、フレーム組立装置（７７）が新しい横材（４０）上に配置され、続いて、フレーム組立装置（７７）が、別個の調整装置（７４）によって、位置合わせ装置（７０）の位置合わせ手段（７３）に位置合わせされ、次いで、フレーム組立装置（７７）によって整列保持されたフレーム（５３）が、新しい横材（４０）に固定され、最後に、フレーム組立装置（７７）が、フレームが設けられた新しい横材（４０）から取り外される、請求項９に記載の方法。
【請求項１１】
新しい横材（４０，９０）、フレーム（５３）、および転向モジュール（５１，５２）が設けられた骨組み（６）が、新しいレール（１１）、駆動構成要素（１９）、制御構成要素（２０）で、新しいステップベルト（５）またはパレットベルトで、外装部品、欄干（２）、および手すり（３）で完成されて、最新化されたエスカレータ（１）または最新化された動く歩道（１）を形成する、請求項１０に記載の方法。
【請求項１２】
請求項１０または請求項１１に記載の既存のエスカレータ（１）または既存の動く歩道（１）の最新化方法を実施する装置セットであって、装置セットが、
転向モジュール（５１，５２）のレール接触面（５６，５８）と位置合わせされることができる支持点を有する、少なくとも１つの位置合わせ手段（７０）を備え、
転向モジュール（５１，５２）のレール接触面（５６，５８）と位置合わせされることができる支持点を有する、少なくとも１つのターゲット装置（７１）であって、設置時に位置合わせ装置（７０）がターゲット装置（７１）に合わせて調整可能である少なくとも１つのターゲット装置（７１）を備え、
新しい横材（４０）に一致し、調整装置（７４）、および少なくとも１つのフレーム（５３）用の少なくとも１つのレセプタクル（７５）を有する、少なくとも１つのフレーム組立装置（７７）を備える
ことを特徴とする、装置セット。
【請求項１３】
調整装置（７４）が、調整の目的で新しい横材（４０）に支持された２つの相互に末端に配置された設定装置（７８，７９）を備え、調整装置（７４）が、穴（８０）を有する位置合わせ開口部（７６）、または溝を有するノッチをさらに含み、穴（８０）または溝の断面の直径が、位置合わせ装置（７０）の位置合わせ手段（７３）に一致している、請求項１２に記載の装置セット。
【請求項１４】
請求項１から９のいずれか１項に記載の方法において、既存の横材（３９）の交換品として既存の骨組み（６）に設置される新しい横材（９０）であって、新しい横材（９０）が金属シートから１枚に切断され、新しい横材（９０）が、折り曲げ縁部によって形成されたＣ字形中央部（９２）、および中央部（９２）に一体的に形成された少なくとも２つのフレーム部（９１）を備え、フレーム部（９１）には、エスカレータ（１）または動く歩道（１）のレール（１１）用の少なくとも固定箇所（６１，６２，６３）が形成されていることを特徴とする、新しい横材（９０）。
【請求項１５】
位置合わせ開口部（７６）、または溝を有するノッチが、前記横材上に形成され、穴（８０）または溝の断面の直径が、請求項１２または請求項１３に記載の装置セットの位置合わせ装置（７０）の位置合わせ手段（７３）に一致している、請求項１４に記載の新しい横材（９０）。
【発明の詳細な説明】
【技術分野】
【０００１】
本発明は、既存のエスカレータまたは既存の動く歩道を最新化する方法に関する。
【背景技術】
【０００２】
エスカレータおよび動く歩道は、一般に普及しており、商業的に使用される建物を含めて多くのタイプの建物、公共交通駅、および空港に設置されている。エスカレータおよび動く歩道は、乗客を１つの階から別の階に迅速かつ効率的に移動させるために使用される。エスカレータおよび動く歩道は、良く整備されている場合には、ほとんどの場合何年も、それどころか何十年も使用され続けることが多い。多くの場合、エスカレータまたは動く歩道は、建物と同時に製作され、前記建物にその建設段階中に設置される。この場合、大部分のエスカレータおよび動く歩道は、単純に所定の大量生産品として供給されるのではなく、むしろ建物の設計に関する開発業者および建物利用者の要求に合わせられる。しかし、全ての機械装置と同様に、特にエスカレータまたは動く歩道の可動部が経時的に摩耗し、交換されなければならない。さらに、ユーロノルム  ＥＮ  １１５などの公式規格も変わる。
【０００３】
必要ならば、個々の部品を交換することによって修理が行われることができる。
【０００４】
個々の部品を交換すること、または前記部品を修理することは、エスカレータもしくは動く歩道全体を最新の技術および安全基準に達するようにすることはできない。修理されたエスカレータの全体的な有効性もほとんど変化しない。最新の従来技術に合致したエスカレータまたは動く歩道を既存の建物内に有するために、前記エスカレータおよび動く歩道は、典型的には完全に解体撤去され、新しいエスカレータまたは新しい動く歩道に交換される。完全交換は、新しいエスカレータまたは新しい動く歩道が建物に導入されることができるように、既存の建物に大きな開口を作成することを必要とすることが多いので、これは非常に費用と時間がかかる。別の問題は、新しいエスカレータに適用する、たとえば耐震に関する電流規格である。これにより、新しいエスカレータが古いエスカレータの利用可能な窪みに収まらなくなり、前記窪みが多額の費用をかけて拡大される必要があるということになり得る。
【０００５】
既存のエスカレータを骨組みまで取り除き、その既存の骨組みを、新たに挿入されるエスカレータ部品に適合させることが、極めて有利であることが分かった。既存のエスカレータを最新化するこの種の方法は、国際公開第２００４／０３５４５２号パンフレットおよび欧州特許出願公開第２５２７２８３号明細書に開示されている。この方法によれば、既存のエスカレータは、既存の骨組みのみが残る程度まで中身が取り除かれる。この方法では、新しいエスカレータ構成要素が既存の骨組みに設置されることができるように、モジュールが既存の横材に位置合わせされ、固定される。個々の製造業者の既存の骨組みが非常に異なる設計を有するので、挿入されるモジュールおよび構成要素は、特定注文ベースで既存の骨組みに適合されなければならない。これは高度な技術努力につながり、高い労務費のため、この最新化方法の魅力を低下させる。
【先行技術文献】
【特許文献】
【０００６】
【特許文献１】国際公開第２００４／０３５４５２号
【特許文献２】欧州特許出願公開第２５２７２８３号明細書
【発明の概要】
【発明が解決しようとする課題】
【０００７】
本発明の目的は、既存のエスカレータまたは既存の動く歩道を最新化する簡略化された方法を特定することにある。
【課題を解決するための手段】
【０００８】
この目的は、既存のエスカレータまたは既存の動く歩道を最新化する方法によって達成される。前記方法は、
既存のエスカレータまたは既存の動く歩道の既存の骨組みから、全ての電気および機械部品を取り除く工程であって、既存の骨組みが、２つの骨組み側部、および前記骨組み側部を接続するベース構造を有し、骨組み側部が、ベース構造から距離を隔てて配置された横材によって互いに接続されている工程と、
既存の骨組みの全ての既存の横材を取り除き、取り除かれた既存の横材の少なくとも一部を、エスカレータまたは動く歩道の設置される新しい構成要素が一致する、新しい横材に交換する工程であって、横材の交換中に、既存の骨組みの２つの骨組み側部が、骨組みのベース構造から距離を隔てた少なくとも一箇所で、相互に安定化するように互いに接続されている工程と
を含む。
【０００９】
上述の方法は、新たに挿入される構成要素に関する必要な大規模な適合作業の主要因をなくす。この作業は特に、典型的には循環コンベヤベルト（エスカレータのステップベルト、動く歩道のパレットベルト）の前進運動と後退運動との間に配置された、既存の横材に起因する。既存の横材は、製造業者に応じて非常に異なる寸法を有することがあり、したがって、前進運動および後退運動のレール間の距離に影響を及ぼす。しかし、挿入される新しい横材は、理想的には新たに挿入される構成要素に一致しており、それにより、レール、レール支持体またはフレーム、転向モジュール、クランプスライドなど、新しい構成要素が、既存の骨組みにおける既存の横材の寸法および位置に適合される必要がなくなる。
【００１０】
大部分の既存の骨組みの骨組み側部は、横材、および支持ブラケットによる端面を除いて、ベース構造のみによって互いに接続されており、したがって、エスカレータまたは動く歩道の追加の構成要素用の、Ｕ字形断面を有し上向きに開く収容構造を形成している。
【００１１】
既存の横材を取り除く上での特定の障害は、既存の横材が既存の骨組みから容易に切断されることができないことである。というのは、前記横材が、建物に取り付けられた既存の骨組みの２つの骨組み側部を支持し、したがって、既存の骨組みに高い剛性および安定性を与えているからである。既存の骨組みは、橋と同様に、その２つの端面のみで建物に取り付けられているので、最新化方法が実施されているときでも、危険な状況が防がれなければならない。２つの端面は、建物への骨組みの接触面としての支持ブラケットが配置されている領域である。利用者がエスカレータまたは動く歩道に出入りすることができるアクセス領域もそこに配置されている。特に長いエスカレータおよび動く歩道の場合、骨組みはまた、中間軸受によって２つの端面の間でも支持されることができる。しかし、これは、足りない横材がある場合、骨組みを剛性かつ安定に保つには十分ではない。
【００１２】
骨組みの構造は、その垂直な骨組み側部の剛性および持続可能性を求めて設計されている。骨組みの正味重量、および点荷重、揺れ、振動など骨組みに働く力のため、骨組み側部が横材の欠如によって横に傾き、次いで骨組みが崩壊する、または少なくとも塑性変形する危険がある。崩壊または変形された骨組みは、完全に使用不能であり、修理またはまっすぐにされることさえできない。
【００１３】
寸法の安定性および剛性のある骨組みもまた、最新化方法が実施されるときに過小評価されるべきではない利点である。空にされた骨組みは、組立人員の安全性が確保されるときのみ組立足場として使用され得る。その寸法の安定性が確保されるとき、既存の骨組みの資材が、その設置場所に安全に輸送されることができる。
【００１４】
本方法の一変形形態では、横材は、２つの骨組み側部を安定化させるために順次交換される。作業が進行するにつれて、骨組み側部は、順次交換のため、漸減的に既存の横材によって、また漸増的に新しい横材によって、相互に安定化するように互いに接続され、新しい横材は、ベース構造から距離を隔てており、２つの骨組み側部を接続するように骨組みに配置されている。
【００１５】
好ましくは、順次交換の場合、各場合に１つの横材が他の横材の後に交換される。骨組み側部の固有安定性に応じて、２つ以上の横材が同時に交換されてもよい。別の可能性としては、まず各第２の既存の横材が取り除かれ、それが取り除かれた後、空いた箇所にそれぞれ新しい横材が設けられる。続いて、残りの既存の横材が取り除かれ、次いで、空いた箇所に新しい横材が設けられる。
【００１６】
本方法の別の変形形態では、２つの骨組み側部を安定化させるための少なくとも１つの安定化装置が、既存の横材が取り除かれる前に既存の骨組みに固定される。既存の骨組みのベース構造から距離を隔てた一箇所で相互に安定化するように、この装置は骨組み側部を接続する。少なくとも１つの安定化装置が固定された後、既存の横材が取り除かれることができ、次いで、新しい横材が挿入されることができる。新しい横材が挿入された後、少なくとも１つの安定化装置が取り外される。
【００１７】
たとえば単純な安定化部材が、安定化装置として骨組み側部に固定されてもよい。この安定化部材は、好ましくはクランプジョー、ねじ、ソケットピン、コッタボルトなど取外し可能な連結要素によって、骨組み側部に固定されることができる。この場合、前記部材が、骨組み側部を互いに対して支持すれば十分であり、安定化部材は大きな力を伝達できなくてもよい。しかし、安定化部材は、引張応力と圧力の両方に強くなければならず、すなわち、引裂または座屈なしに、その固定箇所で発生する最大引張力および圧縮力に耐えることができる。
【００１８】
好ましくは、既存の骨組みにおける新しい横材の位置は、新たに挿入される最新化構成要素に必要な設置空間から、また骨組み側部の高さに関係して決定される。これは、挿入される新しい構成要素のために、特にステップベルトまたはパレットベルトの後退運動のために、新しい横材とベース構造との間に十分な通路空間があることを確実にすることができる。しかし、骨組みにおけるステップベルトまたはパレットベルトの位置にやはりその位置が依存する新しい欄干ベースにあまりに多くの適合を行う必要がないように、ベース構造からあまりに大きな距離を隔てて骨組み側部の間に、新しい横材は配置されるべきではない。
【００１９】
最新化担当の組立人員の作業をより容易にするために、新しい横材の位置は、位置決め指示として、既存の骨組み側部の上弦材から既存の骨組み側部の下弦材に向かう距離として確定されることが好ましい。横材が挿入されるときに、単純に距離を測定して、たとえば既存の骨組み側部の骨組みウェブに印をつければ十分である。これらの骨組みウェブは、その上弦材をその下弦材に接続している。続いて、新しい横材が、ねじクランプによって骨組みウェブにしっかりと固定されることができ、次いで、前記ウェブに溶接、リベット締め、またはねじ締めされることができる。横材は、可能な限り水平に位置合わせされなければならない。しかしながら、フレームが挿入されたときにのみ精密な位置合わせが行われるので、たとえばアルコール水準器による横材の非常に精密な位置合わせは、必ずしも必要とされない。
【００２０】
典型的には、既存の横材は、骨組み側部の骨組みウェブの第１の側面に溶接されている。既存の横材は、単純に両側を、また骨組みウェブ付近で切断されることにより、迅速かつ容易に取り除かれることができる。その結果、既存の横材の小さな断片が、各骨組み側部または骨組みウェブに残る。この断片が面倒な方法で取り除かれなくてもよいために、新しい横材は、骨組みウェブの第２の側面に固定されることができる。
【００２１】
さらなる工程では、レール接触面を有する第１の転向モジュールが、新しい横材が設けられた骨組みに、骨組みの第１の端部で設置されることができ、レール接触面を有する第２の転向モジュールが、骨組みに、骨組みの第２の端部で設置されることができる。「骨組みの端部」という用語は、骨組みの２つの端面を指し、これらは、典型的にはそれぞれが、骨組みを建物内で支持する支持ブラケットを有する。２つの転向モジュールの正しい位置は、骨組みに隣接する水平面、たとえば建物の階の床に応じて、また既存の骨組みにおける新しい横材の位置で確定される。
【００２２】
しばしばレールブロックと呼ばれる転向モジュールは、ステップベルトまたはパレットベルトをその前進運動からその後退運動に転向させるための全ての関連構成要素を含む。これらは、たとえば、レール接触面を有する転向ガイドレールである。第１の転向モジュールは、転向スプロケットが設けられた転向シャフトを有するクランプスライドをさらに備える。第２の転向モジュールは、レール接触面だけでなく、駆動スプロケットを有する駆動シャフト、および任意に、駆動シャフトを駆動するための歯車機構を有する駆動モータをさらに備える。
【００２３】
フレームは、転向モジュールの間で骨組みに固定され、レールまたはトラック用の固定箇所を有する。ステップベルトまたはパレットベルトの滑らかな直線運動を確保するために、レールはレール接触面と正確に位置合わせされなければならない。これは、位置合わせ装置が第１の転向モジュールのレール接触面に配置され、ターゲット装置が第２の転向モジュールのレール接触面に配置されるときに、特に精密に行われる。位置合わせ装置は、位置合わせ手段、好ましくはレーザビームを備える。当然、別の位置合わせ手段、たとえば、張設されたケーブル、張設されたコード、または張設されたワイヤが使用されてもよく、前記手段が使用されるときは、その正味重量のため、たるみを考慮することが必要である。位置合わせ手段は、ターゲット装置に合わせて調整される。挿入されるフレームなどの、転向モジュールの間で骨組みに挿入される追加の構成要素は、この位置合わせ手段に位置合わせされることができる。
【００２４】
フレームを組み立てる場合、フレーム組立装置またはフレーム組立治具が利用可能であることが好ましい。このフレーム組立装置にはまず、設けられたレセプタクルに、右側フレームおよび左側フレームが設けられる。次いで、フレーム組立装置が新しい横材上に配置され、次いで、フレーム組立装置が、別個の調整装置によって、位置合わせ装置の位置合わせ手段に位置合わせされる。次いで、フレーム組立装置によって整列保持されたフレームが、新しい横材に固定される。最後に、フレーム組立装置が、フレームが設けられた新しい横材から取り外される。
【００２５】
新しい横材は、それらに特に安定効果があるように設計され得る。この場合、フレームは、たとえば骨組みウェブとフレームとの間に溶接された連結リンクによって、骨組み側部に付加的にまたは単独で固定されることができる。この種の横材、特に安定横材は、それらの断面に関して非常に小さな寸法を有し、いかなる既存の骨組みにも収まる非常に細い構造を可能にすることができる。
【００２６】
次いで、新しい横材、フレーム、および転向モジュールが設けられた骨組みが、新しいレール、駆動構成要素、制御構成要素で、新しいステップベルトまたはパレットベルトで、外装部品、欄干、および手すりで完成されて、最新化されたエスカレータまたは最新化された動く歩道を形成することができる。
【００２７】
上述の既存のエスカレータまたは既存の動く歩道の最新化方法を実施する装置セットが設けられることが好ましい。このセットは、
転向モジュールのレール接触面と位置合わせされることができる支持点を備える、少なくとも１つの位置合わせ装置と、
転向モジュールのレール接触面と位置合わせされることができる支持点を備える、少なくとも１つのターゲット装置であって、設置時に位置合わせ装置がターゲット装置に合わせて調整可能である少なくとも１つのターゲット装置と、
新しい横材に一致し、調整装置、および少なくとも１つのフレーム用の少なくとも１つのレセプタクルを備える、少なくとも１つのフレーム組立装置と
を含む。
【００２８】
フレーム組立装置の調整装置は、組立装置を調整する目的で新しい横材に支持された、２つの相互に末端に配置された設定装置を備えてもよい。調整装置は、穴を有する位置合わせ開口部、または溝を有するノッチをさらに含む。穴または溝の断面の直径は、位置合わせ手段に一致している。たとえば、位置合わせ装置のレーザビームが位置合わせ手段として使用される場合、レーザビームのビーム断面を有する穴を有する位置合わせ開口部が使用されることが好ましい。ワイヤが位置合わせ手段として使用される場合、その断面がワイヤ断面に一致している溝を有するノッチが代わりに設けられる。
【００２９】
まず新しい横材が、次いでフレームが組み立てられることが上述で説明された。当然、横材およびフレームは、本発明による方法を用いて共に挿入されてもよい。この場合、既存の横材の交換品として既存の骨組みに設置される新しい横材には、既にフレームが設けられている。好ましくは、フレーム状の構造が、新しい横材に形成されている。特に好ましくは、新しい横材は金属シートから１枚に切断され、新しい横材は、折り曲げ縁部によって形成されたＣ字形中央部、および中央部に一体的に形成された少なくとも２つのフレーム部を備える。これらのフレーム部には、エスカレータまたは動く歩道のレール用の少なくとも固定箇所が形成されている。
【００３０】
しかし、この場合、この新しい横材を簡単かつ大まかな位置合わせで骨組みウェブに溶接することは十分ではない。というのは、フレームが既に新しい横材に一体的に形成されており、したがって、フレームをレール接触面と位置合わせする可能性がなくなるからである。この種の新しい横材が利用されるときは、したがって、まず転向モジュールが骨組みに設置される。既に説明されたように、位置合わせ装置およびターゲット装置がレール接触面上に配置される。次いで、上述のタイプの新しい横材が、位置合わせ手段に位置合わせされる。この目的のために、新しい横材には、位置合わせ開口部、または溝を有するノッチが、一時的に固定され得る。
【００３１】
上述の新しい横材に、少なくとも１つの、穴を有する位置合わせ開口部、または溝を有するノッチが形成されている場合、特に有利である。これは、前記横材が、好ましくはレーザ切断法またはＣＮＣパンチング法によって金属シートから製作され、位置合わせ開口部またはノッチが、同時に切り取られることができるので、何の問題もなく可能である。穴または溝の断面の直径は、位置合わせ装置の位置合わせ手段に一致している。
【００３２】
既存のエスカレータまたは既存の動く歩道を最新化する方法は、例および図面を参照して以下に説明され、全ての図面において同じ構成要素には同じ参照符号が使用される。
【図面の簡単な説明】
【００３３】
【図１】欄干を備え、骨組みおよび２つの転向領域を備え、レールが骨組みに配置され、循環ステップベルトが転向領域の間に配置された、最新化前の既存のエスカレータの概略側面図である。
【図２】既存の横材が新しい横材に順次交換される第１の実施形態における方法工程中の、空にされた図１の既存の骨組みの３次元図である。
【図３】フレームの設置中の、新しい横材および転向モジュールが設けられた図２の既存の骨組みの部分断面側面図である。
【図４】図３でのフレームの設置中に使用されるフレーム組立装置の一例を示す。
【図５】図４に示される設置されたフレームに支持された欄干ベース組立装置の一例を示す。
【図６】既存の横材が、安定化装置によって、一体的に形成されたフレーム部を有する新しい横材に交換される、第２の実施形態における方法工程中の、空にされた図１の既存の骨組みの３次元図である。
【発明を実施するための形態】
【００３４】
図１は、第１の階Ｅ１を第２の階Ｅ２に接続する既存のエスカレータ１の概略側面図である。その最も重要な構成要素が示されることができるために、エスカレータ１は側面外装なしに図１に示されている。エスカレータ１は、２つの転向領域７，８を有する骨組み６を備え、転向領域７，８の間では、ステップベルト５（部分的にのみ図示）が循環するように案内される。ステップベルト５は、ステップ４が配置された牽引手段９を備える。さらに、骨組み６には、概略的に示されるレール１１が配置されており、このレールは、２つの転向領域７，８の間に延在し、前進運動および後退運動しているステップベルト５を案内する。第１の階Ｅ１の転向領域７内には、転向スプロケット１３（そのうちの一方のみが見えている）を有する転向シャフト１２が、回転可能に取り付けられている。第２の階Ｅ２の転向領域８内には、駆動スプロケット１５（そのうちの一方のみが見えている）を有する転向スピンドル１４が配置されており、これらのスプロケットは、駆動装置１９によって駆動される。ステップベルト５は、２つの転向領域７，８内でスプロケット１３，１５の周りに案内される。駆動装置１９は、制御手段２０によって制御される。
【００３５】
さらに、欄干２に手すり３が配置されている。欄干２の下端は、欄干ベース１０によって骨組み６に接続されている。エスカレータ１またはそのステップベルト５へは、エスカレータ１の各端部にあるアクセス領域１６，１７を通って入ることができる。アクセス領域１６，１７のアクセス可能表面は、床カバー２１であり、そのそれぞれが、階Ｅ１，Ｅ２の周辺のアクセス可能な床１８に対して同一平面または平坦状に、エスカレータ１の床下の転向領域７，８への開口を閉じる。
【００３６】
当然、既存のエスカレータ１の代わりに既存の動く歩道１が存在して、ステップベルト５の代わりにパレットベルトが循環するように配置されてもよい。さらに、転向領域の間に配置された動く歩道の中央部は、傾斜を有しないか、または１２％までの低い傾斜のみを有する。
【００３７】
エスカレータ１および動く歩道は、典型的には長年使用され続けるので、それらが技術的に旧式になり、必要な交換部品が少量しか再製作されることができないので交換部品を製作するのにより費用がかかるようになるときが来る。その上、建物は、数十年おきに、変更された使用要件に従って適合され、改築される。典型的には、この改修作業の過程で、所有者が、エスカレータ１または動く歩道が新しい最新の外観をも有することを望むことがある。何十年にもわたっていかなる重大な技術開発も受けていないエスカレータ１または動く歩道の唯一の構成要素は、骨組み６である。
【００３８】
骨組み６もまた、エスカレータ１または動く歩道１の構成要素であり、これは、その寸法およびその高重量のため、最も多くの支出を必要とする。したがって、前記骨組みを輸送するには費用がかかり、新しいエスカレータ１を既存の建物に導入するために、既存の建物の壁を少なくとも部分的に取り壊し、建物外殻に大きな開口を作成することが必要であり得る。したがって、既存の骨組み６を引き続き使用することがあり得る。
【００３９】
したがって、まず、既存のエスカレータ１または既存の動く歩道１が、既存の骨組み６を除いて解体されなければならない。エスカレータ１または既存の動く歩道１の既存の構成要素が解体されるとき、理想的には、既存の骨組み６が、２つの階Ｅ１およびＥ２の間の足場として使用される。
【００４０】
図２は、空にされた図１の既存の骨組み６の３次元図である。既存の骨組み６は、２つの平行な骨組み側部３１，３２を備え、これらは実質的に、上弦材３３、下弦材３４、ならびに骨組みウェブ３５および斜材３６で構成されている。骨組み側部３１，３２は、ベース構造３７によって、その下弦材３４で互いに接続されている。ベース構造３７は、溶接された金属シート３８によって被覆されている。ベース構造３７を見えるようにするために、被覆金属シート３８のない領域が示されている。オイルシートとしても知られているこれらの金属シート３８は、潤滑剤およびちりを回収するために使用される。
【００４１】
本方法が実施される前に、骨組み側部３１，３２は、ベース構造３７から距離を隔てた箇所で、既存の横材３９によって互いに接続されている。既存の横材３９は、階Ｅ１，Ｅ２の床１８内に取り付けられた既存の骨組み６の２つの骨組み側部３１，３２を相互に支持し、それによって既存の骨組み６に高い剛性および安定性を与えている。骨組み６における既存の横材３９の寸法および位置は、既存のエスカレータ１の既に取り除かれた構成要素に一致している。既存の骨組み６が依然として、橋と同様に、その２つの端面４１，４２で建物に取り付けられているので、既存の横材３９が単純に取り除かれる場合、既存の骨組み６は極めて不安定になることになる。
【００４２】
空にされた後、既存の骨組み６は清浄にされることが好ましい。次いで、既存の横材３９が、最新化されるエスカレータ１の新たに設置される部品に適合された新しい横材４０に交換される。これは、たとえば、既存の横材３９が新しい横材４０に順次交換される、ここで提案される既存のエスカレータ１または既存の動く歩道を最新化する方法の第１の実施形態において実施されることができる。この時点で、必ずしも全ての既存の横材３９が新しい横材４０に交換されるわけではないことに留意されたい。というのは、転向領域７，８内の既存の横材３９が、そこに挿入される転向モジュール５１，５２（図３参照）用の十分な空間を作るために撤去される必要があることがあり得るからであり、これらのモジュールは、２つの骨組み側部３１，３２を、これらの領域内で相互に安定化するように接続するものである。
【００４３】
本発明による方法が実施されるとき、たとえば、既存の骨組み６における新しい横材４０の位置がまず決定され得る。この位置は、新たに挿入される最新化構成要素に必要な設置空間に依存し、また骨組み側部３１，３２の高さＨに関係する。これは、挿入される新しい構成要素のために、特にステップベルト５またはパレットベルトの後退運動のために、新しい横材４０とベース構造３７との間に十分な通路高さＸがあることを確実にすることができる。しかし、骨組み６におけるステップベルト５またはパレットベルトの位置にやはりその位置が依存する新しい欄干ベース（図５参照）にあまりに多くの適合を行う必要がないように、ベース構造３７からあまりに大きな距離を隔てて骨組み側部３１，３２の間に、新しい横材４０は配置されるべきではない。
【００４４】
新しい横材４０の位置Ｙ＝Ｈ−Ｘが決定されるとすぐに、横材の交換が開始することができる。順次交換の場合、既存の横材３９は、図示のように分離されることができる。典型的には、既存の横材３９は、骨組みウェブ３５の第１の側面４３に溶接されている。既存の横材３９は、単純に両側を、また骨組みウェブ３５付近で切断されることにより、迅速かつ容易に取り除かれることができる。その結果、今や分離された既存の横材３９’の小さな断片３９’’が、各骨組み側部３１，３２または骨組みウェブ３５に残る。この断片３９’’が面倒な方法で取り除かれなくてもよいために、新しい横材４０は、先に決定された位置で、骨組みウェブ３５の第２の側面４４に固定されることができる。
【００４５】
当然、既存の横材は、完全に取り除かれることもでき、新しい横材４０は、骨組みウェブ３５のこの側面４３に固定されることができる。新しい横材４０は、リベット締め、ねじ締め、クリンチングによって形状嵌合的に、または接合、はんだ付け、もしくは溶接によって一体的に固定される。次いで、次の既存の横材３９が、同じように新しい横材４０に交換される。この順次プロセスの場合、既存の骨組み６は、たとえば、第１の階Ｅ１から第２の階Ｅ２まで処理されることができる。
【００４６】
当然、別の順序の横材交換が可能である。既存の骨組み５の固有安定性がそれを許せば、たとえば各場合に２つの横材など、複数の既存の横材３９が、同時に新しい横材４０に交換されることができる。
【００４７】
順次交換の別の可能性としては、まず各第２の既存の横材３９が取り除かれ、それが取り除かれた後、空いた箇所にそれぞれ新しい横材４０が設けられる。続いて、第２の既存の横材３９群が分離され、これらの箇所に新しい横材４０が設置される。あるいは、特に頑丈な既存の骨組みの場合、さらに多くの既存の横材を同時に分離し、新しい横材に交換してもよい。順次交換の唯一の条件は、交換中に、既存の骨組み６の２つの骨組み側部３１，３２が、既存の横材３９または新しい横材４０によって、少なくとも一箇所で、相互に安定化するように互いに接続されていることである。
【００４８】
図３は、フレーム５３の設置中の、新しい横材４０および転向モジュール５１，５２が設けられた図２の既存の骨組み６の部分断面側面図である。
【００４９】
転向モジュール５１，５２は、それらの機能に応じて構成された予め組み立てられたユニットである。たとえば、第１の階Ｅ１に配置された第１の転向モジュール５１は、ステップベルト用の張設装置（見えていない）を有する転向スプロケットを備える。さらに、第１の転向モジュール５１内には、レール接触面５６を有するレール部５５が配置されている。第２の階Ｅ２に配置された第２の転向モジュール５２は、駆動スプロケット、および駆動モータや歯車機構などの様々な駆動構成要素（見えていない）を備えてもよい。第２の転向モジュール５２内には、レール接触面５８を有するレール部５７も配置されている。
【００５０】
フレーム５３は、既存の骨組み６に強固に接続される構成要素であり、この構成要素上には、レール１１用の固定領域６１，６２，６３（図４参照）が形成されている。レール１１が可能な限り容易に設置されることができるために、フレーム５３、またはそのレール１１用の固定領域６１，６２，６３は、転向モジュール５１，５２のレール接触面５６，５８と正確に位置合わせされるべきである。
【００５１】
したがって、装置セットが、フレーム５３を設置するのに利用可能であることが好ましい。このセットは、
転向モジュール５１，５２のレール接触面５６，５８と位置合わせされることができる支持点を有する、少なくとも１つの位置合わせ装置７０（図３参照）と、
転向モジュール５１，５２のレール接触面５６，５８と位置合わせされることができる支持点を有する、少なくとも１つのターゲット装置７１であって、設置時に位置合わせ装置７０がターゲット装置７１に合わせて調整可能である少なくとも１つのターゲット装置７１（図３参照）と、
新しい横材４０に一致し、調整装置７４、および少なくとも１つのフレーム５３用の少なくとも１つのレセプタクル７５を有する、少なくとも１つのフレーム組立装置７７（図４参照）と
を備える。
【００５２】
図３に示されるように、ターゲット装置７１は、第１の転向モジュール５１のレール接触面５６上に配置されている。位置合わせ装置７０は、第２の転向モジュール５２のレール接触面５８上に配置されている。ターゲット装置７１と位置合わせ装置７０との間には、位置合わせ手段７３を表す一点鎖線が示されている。図３に示される位置合わせ手段７３のコースに従って、位置合わせ装置７０は、既にターゲット装置７１に合わせて調整されている。この位置合わせ手段７３は、張設されたワイヤまたは鉛直線でもよいが、レーザビームが位置合わせ手段７３として使用されることが好ましい。
【００５３】
図３は、既に組み立てられたいくつかのフレーム５３を示す。１組のフレーム５３が、新しい横材４０に支持されたフレーム組立装置７７によって、正しい設置位置に保持されている。
【００５４】
図４には、正しい設置位置の調整が見られることができる。この図は、一例として、図３でのフレーム５３の設置中に使用されるフレーム組立装置７７を示す。フレーム組立装置７７は、収容マンドレル７５の形をとる４つの凹部７５を備える。フレーム５３は、各場合に、これらの４つのレセプタクル７５のうちの２つに挿入されることができる。２つのフレーム５３は、フレーム組立装置７７の中央垂直平面Ｓに対して鏡面対称に配置されるべきである。
【００５５】
さらに、フレーム組立装置は、調整装置７４を備える。この調整装置は、左側調整装置７８、右側調整装置７９、および位置合わせ開口部７６を含む。設定装置７８，７９、および位置合わせ開口部７６は、フレーム組立装置７７上でのその配置のため、三角形を形成し、この三角形の底辺は、２つの設定装置７８，７９が支持されている新しい横材４０によって与えられている。調整ねじ７８，７９が、たとえば単純な調整装置７８，７９として使用されることができる。
【００５６】
フレーム５３を既存の骨組み６内で位置合わせするために、設定装置７８，７９が作動され、フレーム組立装置７７が、位置合わせ手段７３、たとえばレーザビーム７３が位置合わせ開口部７６の穴８０を通過するまで、新しい横材４０上を移動される。この場合、フレーム組立装置７７の水平部８１が、精密に水平に位置合わせされるべきである。当然、位置合わせ装置７０はまた、２つの相互に平行な位置合わせ手段７３をも備えてもよく、フレーム組立装置７７は、２つの位置合わせ開口部７６を備えてもよい。これにより、フレーム組立装置７７を水平に位置合わせすることが実質的により容易になる。
【００５７】
示されたレール１１のレールプロファイルは、既存の骨組み６におけるフレーム５３の配置が極めて精密でなければならないことを示す。前記プロファイルは、フレーム５３の固定領域６１上に直接載置されている。図４の本実施形態では、フレーム５３は新しい横材４０に固定されている。当然、フレーム５３はまた、図５でリンク８２によって実施されているように、骨組みウェブ３５にも固定され得る。フレーム５３が新しい横材４０と骨組みウェブ３５の両方に強固に接続されているときに、特に確実で安定した固定がもたらされる。フレーム５３は、ねじ、リベット、ピン、ボルトによって、または溶接、はんだ付け、接合などによって固定されることができる。
【００５８】
さらに、図４および図５には、骨組み６の断面図、特にウェブ３５、上弦材３３、下弦材３４、ベース構造３７、新しい横材４０、およびオイルシート３８の配置が見られることができる。
【００５９】
図５では、レール１１は既にフレーム５３上に組み立てられており、図４に示されるフレーム組立装置７７は取り除かれている。したがって、フレーム５３をフレーム組立装置７７の収容マンドレル７５に配置したフレーム５３の穴８３もまた、空いている。したがって、これらの穴８３は、図５に示されるように、欄干ベース組立装置８５用の収容箇所として利用されることができる。その溶接ストラップ８７が既存の骨組み６に位置合わせされ、その上に溶接されることができるように、レール１１と精密に位置合わせされた正しい位置に、欄干ベース組立装置８５は、ベースフレーム８６を、保持する。
【００６０】
図６は、空にされた図１の既存の骨組み６の３次元図である。図２で既に説明されたように、既存の骨組み６は、２つの相互に平行な骨組み側部３１，３２を備え、これらは実質的に、上弦材３３、下弦材３４、ならびにこれらの弦材を接続する骨組みウェブ３５および斜材３６で構成されている。骨組み側部３１，３２は、ベース構造３７によって、その下弦材３４で互いに接続されている。ベース構造３７は、溶接された金属シート３８によって被覆されている。
【００６１】
空にされた後、既存の骨組み６は清浄にされることが好ましい。続いて、既存の横材３９が、最新化されるエスカレータの新たに設置される部品に適合された新しい横材９０に交換される。
【００６２】
この交換はまた、たとえば、ここで提案される既存のエスカレータ１または既存の動く歩道を最新化する方法の第２の実施形態において実施されることができる。ここで、既存のエスカレータ１または既存の動く歩道において、既存の横材３９が安定化装置９９によって新しい横材９０に交換される。基本的に、この方法は、図２から図５に示される横材４０を使用しても実施されることができる。図６に示される横材９０はまた、一体的に形成されたフレーム部９１をも備える。
【００６３】
図６の実施形態では、安定化装置９９は、２つの骨組み側部３１，３２を安定化させるために、取外し可能な連結要素（図示せず）によって、既存の骨組み６の中央に固定されている。安定化装置９９は、既存の横材３９が取り除かれる前に固定される。安定化装置９９は、骨組み側部３１，３２を、既存の骨組み６のベース構造３７から距離を隔てた一箇所で、相互に安定化するように接続する。安定化装置９９が固定された後、全ての既存の横材３９が取り除かれることができ、次いで、新しい横材９０が骨組み６に挿入されることができる。次いで、安定化装置９９が取り外される。当然、１つの安定化装置９９では十分ではない場合、複数の安定化装置９９が、たとえば上弦材３３の間に、互いに所定の距離を隔てて使用および固定されることができる。
【００６４】
たとえば、単純な安定化部材９９が、安定化部材９９として骨組み側部３１，３２の間に挿入されることができる。好ましくはクランプジョー、ねじ、ソケットピン、コッタボルトなど取外し可能な連結要素によって、この安定化部材は骨組み側部３１，３２に固定されることができる。この場合、これらの連結要素が、骨組み側部３１，３２を互いに対して支持すれば十分であり、安定化装置９９は大きな力を伝達できなくてもよい。
【００６５】
図６に一例として示されるように、既存の横材３９の交換品として骨組み６に設置される新しい横材９０には、既にフレームまたはフレーム部９１が設けられている。フレーム状の構造は、新しい横材９０に一体的に形成されている。この新しい横材９０は、たとえば、レーザ切断法またはウォータジェット切断法によって金属シートから切断されることができる。続いて、新しい横材９０には、折り曲げ縁部によって、Ｃ字形中央部９２が生成されることができる。この生成が、中央部９２によって互いに一体的に接続されたフレーム部９１を備える、新しい横材を作り出す。フレーム部９１には、エスカレータ１または動く歩道のレール１１用の少なくとも固定箇所６１，６２，６３が形成されている。
【００６６】
しかしながら、上述のフレーム部９１を有する新しい横材９０、またはフレーム５３が設けられた新しい横材４０が設置されるとき、それを簡単かつ大まかな位置合わせで骨組みウェブ３５に溶接することは十分ではない。というのは、フレームが既に新しい横材９０に一体的に形成または固定されており、したがって、固定箇所６１，６２，６３をレール接触面５６，５８（図３も参照）と位置合わせする可能性がなくなるからである。この種の新しい横材９０が利用されるときは、したがって、まず転向モジュール５１が既存の骨組み６に設置されることが好ましい。既に説明されたように、位置合わせ装置７０およびターゲット装置７１がレール接触面５６，５８上に配置される。次いで、上述のタイプの新しい横材９０が、位置合わせ手段７３に位置合わせされることができる。この目的のために、新しい横材９０には、位置合わせ開口部７６、または溝を有するノッチが、一時的に固定され得る。
【００６７】
上述の一体的な新しい横材９０に、少なくとも１つの、穴８０を有する位置合わせ開口部７６、または溝を有するノッチが形成されている場合、特に有利である。これは、前記横材が、好ましくはレーザ切断法によって金属シートから製作され、位置合わせ開口部７６またはノッチが、同時に切り取られることができるので、何の問題もなく可能である。穴８０または溝の断面の直径は、図３に関連して説明された、位置合わせ装置７０の位置合わせ手段７３に一致している。
【００６８】
図３から図５に関連して、まず新しい横材４０が、次いでフレーム５３が設置されることが説明された。当然、横材４０およびフレーム５３は、本発明による方法を用いて共に挿入されてもよい。この目的のために、フレーム５３は、新しい横材４０が既存の骨組み６に設置される前に、新しい横材４０上に組み立てられなければならない。先の実施形態によれば、この場合にも、フレーム５３が設けられた新しい横材４０上に、位置合わせ開口部７６、または溝を有するノッチが、一時的に固定されなければならない。
【００６９】
本発明は、特定の実施形態を示すことによって説明されたが、たとえば順次交換にも使用される安定化装置９９によって、多数の他の実施形態が本発明に関して生じることができることは明らかである。さらに、まず既存の横材３９が新しい横材４０，９０に交換され、次いで転向モジュール５１，５２が設置される順序、またはその逆の順序は、重要ではない。当然、フレーム組立装置７７の調整装置７４はまた、たとえばくさびを有するなど完全に異なって設計された設定装置７８，７９をも備えてもよい。その上、取外し可能に一体的な新しい横材９０に取り付けられることができる調整装置７４が、前記部材に設けられてもよく、この装置は、たとえば既存の骨組み６の上弦材３３に支持される。
【図１】
2019522604.tif 000003
【図２】
2019522604.tif 000004
【図３】
2019522604.tif 000005
【図４】
2019522604.tif 000006
【図５】
2019522604.tif 000007
【図６】
2019522604.tif 000008
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
既存のエスカレータ（１）または既存の動く歩道（１）を最新化する方法であって、既存のエスカレータ（１）または既存の動く歩道（１）の既存の骨組み（６）から、全ての電気および機械部品を取り除く工程にして、既存の骨組み（６）が、２つの骨組み側部（３１，３２）、および前記骨組み側部を接続するベース構造（３７）を有し、骨組み側部（３１，３２）が、ベース構造（３７）から距離を隔てて配置された横材によって互いに接続されている、工程を含む方法であって、既存の骨組み（６）の全ての既存の横材（３９）を取り除き、取り除かれた既存の横材（３９）の少なくとも一部を新しい横材（４０，９０）に交換するさらなる工程であって、横材の交換中に、既存の骨組み（６）の２つの骨組み側部（３１，３２）が、骨組み（６）のベース構造（３７）から距離を隔てた少なくとも一箇所で、相互に安定化するように互いに接続されている、工程を特徴とする、方法。
【請求項２】
横材が、２つの骨組み側部（３１，３２）を安定化させるために順次交換され、それにより、作業が進行するにつれて、骨組み側部（３１，３２）が、順次交換のため、漸減的に既存の横材（３９）によって、また漸増的に新しい横材（４０，９０）によって、ベース構造（３７）から距離を隔てて、相互に安定化するように互いに接続されている、請求項１に記載の方法。
【請求項３】
２つの骨組み側部（３１，３２）を安定化させるための既存の横材（３９）が取り除かれる前に、少なくとも１つの安定化装置（９９）が既存の骨組み（６）に固定され、この装置が、骨組み側部（３１，３２）を、既存の骨組み（６）のベース構造（３７）から距離を隔てた一箇所で、相互に安定化するように接続し、少なくとも１つの安定化装置（９９）が固定された後、既存の横材（３９）が取り除かれ、新しい横材（４０，９０）が挿入され、新しい横材（４０，９０）が挿入された後、少なくとも１つの安定化装置（９９）が取り外される、請求項１に記載の方法。
【請求項４】
取外し可能に骨組み側部（３１，３２）に配置されることができる安定化部材が、安定化装置（９９）として固定されている、請求項３に記載の方法。
【請求項５】
既存の骨組み（６）における新しい横材（４０，９０）の位置が、新たに挿入される最新化構成要素に必要な設置空間から、また骨組み側部（３１，３２）の高さ（Ｈ）に関係して決定される、請求項１から４のいずれか１項に記載の方法。
【請求項６】
位置が、新しい横材（４０，９０）を位置決めするための指示として、骨組み側部（３１，３２）の上弦材（３３）から骨組み側部（３１，３２）の下方下弦材（３４）に向かう距離（Ｙ）として確定される、請求項５に記載の方法。
【請求項７】
既存の横材（３９）が、骨組み側部（３１，３２）の骨組みウェブ（３５）の第１の側面（４３）に溶接されており、各場合に、まず骨組みウェブ（３５）の既存の横材（３９）が取り除かれ、次いで新しい横材（４０，９０）が、骨組みウェブ（３５）の第２の側面（４４）に固定される、請求項１から６のいずれか１項に記載の方法。
【請求項８】
レール接触面（５６）を有する第１の転向モジュール（５１）が、新しい横材（４０，９０）が設けられた骨組み（６）に、骨組み（６）の第１の端部で設置されており、レール接触面（５８）を有する第２の転向モジュール（５２）が、骨組みに、骨組み（６）の第２の端部で設置されている、請求項１から７のいずれか１項に記載の方法。
【請求項９】
ターゲット装置（７１）が、第１の転向モジュール（５１）のレール接触面（５６）に配置されており、位置合わせ装置（７０）が、第２の転向モジュール（５２）のレール接触面（５８）に配置されており、位置合わせ装置（７０）の位置合わせ手段（７３）が、ターゲット装置（７１）に合わせて調整され、転向モジュール（５１，５２）の間で骨組み（６）に挿入されるさらなる構成要素（５３）が、位置合わせ手段（７３）に位置合わせされることができる、請求項８に記載の方法。
【請求項１０】
フレーム組立装置（７７）が利用可能であり、このフレーム組立装置（７７）にはまず、設けられたレセプタクル（７５）に、右側フレーム（５３）および左側フレーム（５３）が設けられ、次いで、フレーム組立装置（７７）が新しい横材（４０）上に配置され、続いて、フレーム組立装置（７７）が、別個の調整装置（７４）によって、位置合わせ装置（７０）の位置合わせ手段（７３）に位置合わせされ、次いで、フレーム組立装置（７７）によって整列保持されたフレーム（５３）が、新しい横材（４０）に固定され、最後に、フレーム組立装置（７７）が、フレームが設けられた新しい横材（４０）から取り外される、請求項９に記載の方法。
【請求項１１】
新しい横材（４０，９０）、フレーム（５３）、および転向モジュール（５１，５２）が設けられた骨組み（６）が、新しいレール（１１）、駆動構成要素（１９）、制御構成要素（２０）で、新しいステップベルト（５）またはパレットベルトで、外装部品、欄干（２）、および手すり（３）で完成されて、最新化されたエスカレータ（１）または最新化された動く歩道（１）を形成する、請求項１０に記載の方法。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
既存のエスカレータ（１）または既存の動く歩道（１）を最新化する方法であって、既存のエスカレータ（１）または既存の動く歩道（１）の既存の骨組み（６）から、全ての電気および機械部品を取り除く工程にして、既存の骨組み（６）が、２つの骨組み側部（３１，３２）、および前記骨組み側部を接続するベース構造（３７）を有し、骨組み側部（３１，３２）が、ベース構造（３７）から距離を隔てて配置された横材によって互いに接続されている、工程を含む方法であって、既存の骨組み（６）の全ての既存の横材（３９）を取り除き、取り除かれた既存の横材（３９）の少なくとも一部を新しい横材（４０，９０）に交換するさらなる工程であって、横材の交換中に、既存の骨組み（６）の２つの骨組み側部（３１，３２）が、骨組み（６）のベース構造（３７）から距離を隔てた少なくとも一箇所で、相互に安定化するように互いに接続されている、工程を特徴とする、方法。
【請求項２】
横材が、２つの骨組み側部（３１，３２）を安定化させるために順次交換され、それにより、作業が進行するにつれて、骨組み側部（３１，３２）が、順次交換のため、漸減的に既存の横材（３９）によって、また漸増的に新しい横材（４０，９０）によって、ベース構造（３７）から距離を隔てて、相互に安定化するように互いに接続されている、請求項１に記載の方法。
【請求項３】
２つの骨組み側部（３１，３２）を安定化させるための既存の横材（３９）が取り除かれる前に、少なくとも１つの安定化装置（９９）が既存の骨組み（６）に固定され、この装置が、骨組み側部（３１，３２）を、既存の骨組み（６）のベース構造（３７）から距離を隔てた一箇所で、相互に安定化するように接続し、少なくとも１つの安定化装置（９９）が固定された後、既存の横材（３９）が取り除かれ、新しい横材（４０，９０）が挿入され、新しい横材（４０，９０）が挿入された後、少なくとも１つの安定化装置（９９）が取り外される、請求項１に記載の方法。
【請求項４】
取外し可能に骨組み側部（３１，３２）に配置されることができる安定化部材が、安定化装置（９９）として固定されている、請求項３に記載の方法。
【請求項５】
既存の骨組み（６）における新しい横材（４０，９０）の位置が、新たに挿入される最新化構成要素に必要な設置空間から、また骨組み側部（３１，３２）の高さ（Ｈ）に関係して決定される、請求項１から４のいずれか１項に記載の方法。
【請求項６】
位置が、新しい横材（４０，９０）を位置決めするための指示として、骨組み側部（３１，３２）の上弦材（３３）から骨組み側部（３１，３２）の下方下弦材（３４）に向かう距離（Ｙ）として確定される、請求項５に記載の方法。
【請求項７】
既存の横材（３９）が、骨組み側部（３１，３２）の骨組みウェブ（３５）の第１の側面（４３）に溶接されており、各場合に、まず骨組みウェブ（３５）の既存の横材（３９）が取り除かれ、次いで新しい横材（４０，９０）が、骨組みウェブ（３５）の第２の側面（４４）に固定される、請求項１から６のいずれか１項に記載の方法。
【請求項８】
レール接触面（５６）を有する第１の転向モジュール（５１）が、新しい横材（４０，９０）が設けられた骨組み（６）に、骨組み（６）の第１の端部で設置されており、レール接触面（５８）を有する第２の転向モジュール（５２）が、骨組みに、骨組み（６）の第２の端部で設置されている、請求項１から７のいずれか１項に記載の方法。
【請求項９】
ターゲット装置（７１）が、第１の転向モジュール（５１）のレール接触面（５６）に配置されており、位置合わせ装置（７０）が、第２の転向モジュール（５２）のレール接触面（５８）に配置されており、位置合わせ装置（７０）の位置合わせ手段（７３）が、ターゲット装置（７１）に合わせて調整され、転向モジュール（５１，５２）の間で骨組み（６）に挿入されるさらなる構成要素（５３）が、位置合わせ手段（７３）に位置合わせされることができる、請求項８に記載の方法。
【請求項１０】
フレーム組立装置（７７）が利用可能であり、このフレーム組立装置（７７）にはまず、設けられたレセプタクル（７５）に、右側フレーム（５３）および左側フレーム（５３）が設けられ、次いで、フレーム組立装置（７７）が新しい横材（４０）上に配置され、続いて、フレーム組立装置（７７）が、別個の調整装置（７４）によって、位置合わせ装置（７０）の位置合わせ手段（７３）に位置合わせされ、次いで、フレーム組立装置（７７）によって整列保持されたフレーム（５３）が、新しい横材（４０）に固定され、最後に、フレーム組立装置（７７）が、フレームが設けられた新しい横材（４０）から取り外される、請求項９に記載の方法。
【請求項１１】
新しい横材（４０，９０）、フレーム（５３）、および転向モジュール（５１，５２）が設けられた骨組み（６）が、新しいレール（１１）、駆動構成要素（１９）、制御構成要素（２０）で、新しいステップベルト（５）またはパレットベルトで、外装部品、欄干（２）、および手すり（３）で完成されて、最新化されたエスカレータ（１）または最新化された動く歩道（１）を形成する、請求項１０に記載の方法。
【請求項１２】
請求項１０または請求項１１に記載の既存のエスカレータ（１）または既存の動く歩道（１）の最新化方法を実施する装置セットであって、装置セットが、
転向モジュール（５１，５２）のレール接触面（５６，５８）と位置合わせされることができる支持点を有する、少なくとも１つの位置合わせ手段（７０）を備え、
転向モジュール（５１，５２）のレール接触面（５６，５８）と位置合わせされることができる支持点を有する、少なくとも１つのターゲット装置（７１）であって、設置時に位置合わせ装置（７０）がターゲット装置（７１）に合わせて調整可能である少なくとも１つのターゲット装置（７１）を備え、
新しい横材（４０）に一致し、調整装置（７４）、および少なくとも１つのフレーム（５３）用の少なくとも１つのレセプタクル（７５）を有する、少なくとも１つのフレーム組立装置（７７）を備える
ことを特徴とする、装置セット。
【請求項１３】
調整装置（７４）が、調整の目的で新しい横材（４０）に支持された２つの相互に末端に配置された設定装置（７８，７９）を備え、調整装置（７４）が、穴（８０）を有する位置合わせ開口部（７６）、または溝を有するノッチをさらに含み、穴（８０）または溝の断面の直径が、位置合わせ装置（７０）の位置合わせ手段（７３）に一致している、請求項１２に記載の装置セット。
【国際調査報告】
2019522604.tif 000009
2019522604.tif 000010
2019522604.tif 000011
2019522604.tif 000012